(57)【要約】      （修正有）【課題】ハウス内を複数の区画に区切ることができ、かつそれぞれの区画ごとに独立して換気・水分管理ができ、これにより区画ごとの生産管理が可能となり、また区画をまたいだ品種の交雑を抑止することができるビニールハウスを提供する。【解決手段】農業用ビニールハウスであって、内部にフィルム状の材料１ａを配置することにより、ハウス内を少なくとも２つ以上の区画に分割でき、かつビニールハウス側面の上部と下部に換気口３ａを備えることにより各区画での独立した換気・給水が可能である。これにより区画ごとの換気・水分管理が可能となり、また区画をまたいだ品種の交雑を抑止できるため、少量多品種を一つのビニールハウス内で生産できる。【選択図】図１
0003188840.tif 000002
【実用新案登録請求の範囲】
【請求項１】
農業用ビニールハウスであって、内部にフィルム状の材料を配置することにより、ハウス内を少なくとも２つ以上の区画に分割でき、
かつビニールハウス側面の上部と下部に換気口を備えることにより各区画での独立した換気が可能であることを特徴とするビニールハウス。
【請求項２】
請求項１記載のビニールハウスであって前記の各区画ごとに、給水機構を有するビニールハウス
【考案の詳細な説明】
【技術分野】
【０００１】
本考案は、同種の作物の少量多品種生産のために用いるビニールハウスに関連する。
【背景技術】
【０００２】
従来農業における農作物の生産とは、収量・流通時の安定性などの優れた品種を大量に生産することで価格を下げ、市場への安定供給を行い、
利益を最大化するものであった。使用されるビニールハウスもその目的を達成するためには、可能な限り大型であるほうが好ましいとされていた。
【０００３】
しかし、近年消費者の嗜好が多様化してくると、農産物の収量や流通時の安定性よりも、風味や形状が重要視されるケースが増えている。
このようなケースでは、多様な品種を少量入手したいというニーズが強い傾向にある。
【０００４】
このようなニーズに対しては、供給者サイドは多品種少量生産により対応しなければならないが、従来の設備は少品種大量生産のために最適化されており、
多品種少量生産に使用するのは技術的に難しい。ビニールハウスもその一例である。
【０００５】
大型のビニールハウスで多品種少量生産を行おうとすると、虫媒花、風媒花などの場合、品種間の交雑が起きてしまい安定的に生産できない課題がある。
一方、小型のビニールハウスを大量に建設するのは、特にトマトなどの草丈が高い作物用のハウスの場合にはコストや敷地面積の観点から効率が悪い。
【先行技術文献】
【非特許文献】
【０００６】
【非特許文献１】「現代農業」農文協出版  ２０１２年１１月
【非特許文献２】「施設園芸ハウスの設計と施工」  立花一雄著  １９７９年
【考案の概要】
【考案が解決しようとする課題】
【０００７】
従来のビニールハウスでは困難であった同種の農作物の少量多品種生産を可能にする。
【課題を解決するための手段】
【０００８】
本考案は、大型のビニールハウスを区画化し、各区画を独立させることにより、品種間の交雑を防ぎつつ効率的な換気・水分管理を可能とする。
【考案の効果】
【０００９】
本考案のビニールハウスは、ハウス内を複数の区画に区切ることができ、かつそれぞれの区画ごとに独立して換気・水分管理ができることに
特徴がある。これにより区画ごとの生産管理が可能となり、また区画をまたいだ品種の交雑を抑止する。
【図面の簡単な説明】
【００１０】
【図１】図１はダッチライト型ハウスを用いた例である。
【図２】図２はダッチライト型ハウスにおける畝および給水管のモデルである。
【図３】図３はアーチ型ハウスを用いた例である。
【図４】図４はアーチ型ハウスにおける畝および給水管のモデルである。
【考案を実施するための形態】
【００１１】
本考案のビニールハウスは、ビニールハウスの側面同士をつなぐようにフィルム状の材料を配置することにより、ビニールハウス内を少なくとも２つ以上に
分割することが可能であることを特徴とする。また、分割したそれぞれの区画（以下ユニットセルと略）ごとに換気口を有し、ユニットセルごとに独立した換気
ができることを特徴とする。ハウス内のユニットセルの数は特に制限されず、フィルム状の材料の配置によりレイアウトの変更が可能である。
【００１２】
フィルム状の材料は、例えばハウスの梁などに片側を固定し吊り下げることにより、不要時は巻きあげて保管しておくことができ、
必要時は床面まで降ろすことで隔壁とする。配置するフィルム状の材料は特に限定されないが、光透過性や視認性の観点から透明なビニールやＰＥＴフィルムなど
が好ましい。前記フィルム状の材料の側面側の端部にはチャックや粘着テープなどが取り付けられており、側面側と連結できることが区画の密閉の観点から好ましい。
前記フィルム状の材料の数は特に限定されず、ユニットセルの設置に必要な数だけ、必要に応じて縦横を問わず設置する。
フィルム状の材料
に垂直な側面の下部と上部に換気口を設けることにより、各ユニットセルごとの換気を可能とする。品種の交雑の恐れがない場合、ユニットセル
を区切る前記 フィルム材料に換気口を設けることは特に制限されない。メッシュなどの網上の材料を用いることも特に制限されない。換気口の外側には、
雨水の流入を防止するための屋根や、害虫の侵入を防止するための虫よけなどを設置することは特に制限されない。
【００１３】
給水機構は各ユニットせるごとに個別に設定できることが好ましい。給水口の開閉バルブを各ユニットセルごとに設置する機構などが例示できる。
給水機構は地上・地下どちらにあってもよく、設置場所は特に制限されない。
【実施例】
【００１４】
以下実施例を示すが、本考案は下記実施例に限定されるものではない。
【実施例１】
【００１５】
図１は、本考案のダッチライト型ハウスの例である。ダッチライト型ハウスの側面同士をつなぐ形でフィルム状の材料（1a）を配置し、ハウスを奥行き方向で分割する。
フィルム状の材料（1a）の端部にはマジックテープ（登録商標）などの密着用材料（2a）を取り付け、側面とつなぎあわせて密閉性を確保する。換気口（3a）を側面の上部と下部に
設けることにより、各ユニットセルは独立した換気を行うことが可能であり、互いの空気が混合することを避け、品種間の交雑や病原菌の拡散を防ぐ。
【００１６】
図２は、図１に示したダッチライト型ハウスの上からの見取り図である。中央部にフィルム状の材料（1b）が配置され、ダッチライト型ハウスを上下のユニットセル
に分割する。それぞれのユニットセルにおいて、畝（4a）をフィルム状の材料（1b）に垂直となるように２本配置し作物の栽培をおこなう。上下のユニットセルで作物や
栽培条件は異なってもよい。畝（4a）の上部に給水管（5a）を畝（4a）を横に貫く形で配置し、ユニットセルごとに独立した給水を行う。
【実施例２】
【００１７】
図３は、本考案のアーチ型ハウスの例である。アーチ型ハウスのアーチに垂直にフィルム状の材料（1c）を配置し、アーチ型ハウスを左右に分割する。
フィルム状の材料（1c）の端部にはマジックテープなどの密着用材料（2b）を取り付け、前面および背面とつなぎあわせて密閉性を確保する。換気口（3b）を前面ないしは
背面の上部と下部に設けることにより、各ユニットセルは独立した換気を行うことが可能であり、互いの空気が混合することを避け、品種間の交雑や病原菌の拡散を防ぐ。
【００１８】
図４は図３に示したアーチ型ハウスの上からの見取り図である。中央部にフィルム状の材料（1d）が配置され、アーチ型ハウスを左右のユニットセルに分割する。
それぞれのユニットセルにおいて、畝（4b）をフィルム状の材料（1d）に平行になるように配置し作物の栽培をおこなう。左右のユニットセルで作物や栽培条件は
異なってもよい。畝（4b）の地下に給水管（5b）を畝（4b）を縦に貫く形で配置し、ユニットセルごとに独立した給水を行う。
上記の実施例は利用法の一部であり、ユニットセルの数やフィルム状の材料の数および配置に制限はなく用途に応じてレイアウトを変更することができる。
【産業上の利用可能性】
【００１９】
一つのビニールハウス内で複数の作物を品種間の交雑なく、それぞれ独立した条件で栽培できる。
今後必要とされる、高付加価値作物の少量多品種生産に適用することが期待される。
【符号の説明】
【００２０】
1a,1b,1c,1d：フィルム状の材料
2a,2b：密着用材料
3a,3b：換気口
4a,4b：畝
5a,5b：給水管
【図１】
0003188840.tif 000003
【図２】
0003188840.tif 000004
【図３】
0003188840.tif 000005
【図４】
0003188840.tif 000006